(57)【特許請求の範囲】
【請求項１】
基板と、
前記基板の一方の面に略垂直に起立させた状態で一体的に固着される棒状体と、
有底略筒状の外周面に略半球状の弾性突起が複数形成され、前記棒状体の先端部に被着される弾性キャップとからパネル取付具を構成し、
水平片と垂直片とからなるアングル材であるパネル支持部材の前記水平片に、前記パネル取付具の前記基板を配置して溶接して取り付けると共に、
前記パネル支持部材の前記垂直片に沿わせてパネルを配置し、
前記パネル取付具の前記棒状体を前記弾性キャップと共に前記パネルの小口面に形成した挿入穴内に挿入することにより、前記棒状体を前記弾性キャップの前記略半球状の弾性突起を介して前記挿入穴の内面に弾力的に圧接嵌合することを特徴とするパネル取付構造。
【請求項２】
基板と、
前記基板の一方の面に略垂直に起立させた状態で一体的に固着される棒状体と、
有底略筒状の外周面に周方向に延びるリング状の弾性突条が複数形成され、前記棒状体の先端部に被着される弾性キャップとからパネル取付具を構成し、
水平片と垂直片とからなるアングル材であるパネル支持部材の前記水平片に、前記パネル取付具の前記基板を配置して溶接して取り付けると共に、
前記パネル支持部材の前記垂直片に沿わせてパネルを配置し、
前記パネル取付具の前記棒状体を前記弾性キャップと共に前記パネルの小口面に形成した挿入穴内に挿入することにより、前記棒状体を前記弾性キャップの前記リング状の弾性突条を介して前記挿入穴の内面に弾力的に圧接嵌合することを特徴とするパネル取付構造。
【請求項３】
基板と、
前記基板の一方の面に略垂直に起立させた状態で一体的に固着される棒状体と、
有底略筒状の端部外周面にフランジ状の弾性突条が形成され、前記棒状体の先端部に被着される弾性キャップとからパネル取付具を構成し、
水平片と垂直片とからなるアングル材であるパネル支持部材の前記水平片に、前記パネル取付具の前記基板を配置して溶接して取り付けると共に、
前記パネル支持部材の前記垂直片に沿わせてパネルを配置し、
前記パネル取付具の前記棒状体を前記弾性キャップと共に前記パネルの小口面に形成した挿入穴内に挿入することにより、前記棒状体を前記弾性キャップの前記フランジ状の弾性突条を介して前記挿入穴の内面に弾力的に圧接嵌合することを特徴とするパネル取付構造。  
【発明の詳細な説明】
【技術分野】
【０００１】
本発明は、例えばＡＬＣ（軽量気泡コンクリート）等のパネルを建築物の躯体あるいは開口部に取付けて縦壁を形成する場合などに用いるパネル取付具およびそれを用いたパネル取付構造に関する。
【背景技術】
【０００２】
従来、上記のようなパネルを建築物の躯体や開口部に取付けて縦壁を形成する際のパネル取付構造は従来種々提案されており、その１つとして、下記特許文献１には、図５に示すように金属鋼板等よりなる基板３０の一方の面に、丸棒鋼等の棒状体３１を略垂直に起立させた状態で溶接等で一体的に固着してなるパネル取付具３を用いたパネル取付構造が提案されている。
【０００３】
すなわち、図５は上記のようなパネル取付具３により建築物の窓等の開口部の上方にＡＬＣ等よりなるパネル１でまぐさ壁等を形成する場合の構成例を示すもので、パネル１の下部の小口面に予め形成した挿入穴１０内に、上記パネル取付具３の棒状体３１を挿入して基板３０を上記小口面に当接させ、その基板３０と上記パネル１とを、上記開口部に沿って設けた水平片２１と垂直片２２とからなアングル材よりなるパネル支持部材２の水平片２１の上面に載置し、上記基板３０を上記水平片２１に溶接等で固着して上記パネル１を所定の位置に配置固定する構成である。
【０００４】
ところが、上記挿入穴１０に対する棒状体３１の嵌め合わせがきついと、その棒状体３１の挿入穴１０への挿入が困難になったり、挿入穴１０の周囲のパネル１の一部が損傷したり破損する等のおそれがある。逆に、挿入穴１０に対する棒状体３１の嵌め合わせが緩いと、例えば下向きに開口した挿入穴１０内に棒状体３１を挿入した状態でパネル取付具３をパネル１と共に持ち運んだり、所定の位置に配置する際に、上記パネル取付具３が抜け落ちる等おそれがあった。
【０００５】
そこで、下記特許文献２においては、上記棒状体の周面に突起を設け、その棒状体を上記挿入穴内に挿入したとき、上記の突起が挿入穴の内周面に食い込んでパネル取付具が抜け落ちるのを防止することが提案されているが、例えば地震等により躯体が大きく振動したり変形した場合には、上記の突起が穴の内周面に深く食い込んでパネルに亀裂が生じたり、破損して欠落する等のおそれがあった。
【０００６】
【特許文献１】実開昭５８−８５００８号公報
【特許文献２】特開昭６３−２６５０４６号公報
【発明の開示】
【発明が解決しようとする課題】
【０００７】
本発明は上記の問題点に鑑みて提案されたもので、ＡＬＣ等のパネルを上記のようなパネル取付具を用いて建物躯体等に取付ける際に、上記パネル取付具の棒状体の挿入穴内への挿入が容易で且つ不用意に落下することがなく、しかも地震等で躯体が大きく振動したり変形した場合にも、パネルに亀裂が生じたり欠落するのを可及的に低減することのできるパネル取付具およびそれを用いたパネル取付構造を提供することを目的とする。
【課題を解決するための手段】
【０００８】
本発明のパネル取付構造は、基板と、前記基板の一方の面に略垂直に起立させた状態で一体的に固着される棒状体と、有底略筒状の外周面に略半球状の弾性突起が複数形成され、前記棒状体の先端部に被着される弾性キャップとからパネル取付具を構成し、水平片と垂直片とからなるアングル材であるパネル支持部材の前記水平片に、前記パネル取付具の前記基板を配置して溶接して取り付けると共に、前記パネル支持部材の前記垂直片に沿わせてパネルを配置し、前記パネル取付具の前記棒状体を前記弾性キャップと共に前記パネルの小口面に形成した挿入穴内に挿入することにより、前記棒状体を前記弾性キャップの前記略半球状の弾性突起を介して前記挿入穴の内面に弾力的に圧接嵌合することを特徴とする。
【０００９】
また、本発明のパネル取付構造は、基板と、前記基板の一方の面に略垂直に起立させた状態で一体的に固着される棒状体と、有底略筒状の外周面に周方向に延びるリング状の弾性突条が複数形成され、前記棒状体の先端部に被着される弾性キャップとからパネル取付具を構成し、水平片と垂直片とからなるアングル材であるパネル支持部材の前記水平片に、前記パネル取付具の前記基板を配置して溶接して取り付けると共に、前記パネル支持部材の前記垂直片に沿わせてパネルを配置し、前記パネル取付具の前記棒状体を前記弾性キャップと共に前記パネルの小口面に形成した挿入穴内に挿入することにより、前記棒状体を前記弾性キャップの前記リング状の弾性突条を介して前記挿入穴の内面に弾力的に圧接嵌合することを特徴とする。また、本発明のパネル取付構造は、基板と、前記基板の一方の面に略垂直に起立させた状態で一体的に固着される棒状体と、有底略筒状の端部外周面にフランジ状の弾性突条が形成され、前記棒状体の先端部に被着される弾性キャップとからパネル取付具を構成し、水平片と垂直片とからなるアングル材であるパネル支持部材の前記水平片に、前記パネル取付具の前記基板を配置して溶接して取り付けると共に、前記パネル支持部材の前記垂直片に沿わせてパネルを配置し、前記パネル取付具の前記棒状体を前記弾性キャップと共に前記パネルの小口面に形成した挿入穴内に挿入することにより、前記棒状体を前記弾性キャップの前記フランジ状の弾性突条を介して前記挿入穴の内面に弾力的に圧接嵌合することを特徴とする。
【発明の効果】
【００１０】
上記のように本発明によるパネル取付具およびそれを用いたパネル取付構造は、パネル取付具の棒状体を、その先端部に被着したゴム等よりなる弾性キャップを介して挿入穴の内面に弾力的に圧接嵌合するようにしたから、例えば下向きに開口した挿入穴内にパネル取付具の棒状体を挿入した状態でパネルを持ち運んだり、所定の施工位置等に配置する際に、パネル取付具が不用意に抜け落ちるのを簡単・確実に防止することができる。また地震等で躯体が大きく振動したり変形した場合にも、上記弾性キャップの緩衝作用で振動等を軽減できると共に、上記棒状体が挿入穴の内面に直接当たることがないから、パネルに損傷や亀裂が生じたり欠落するのを防止することができる。さらに上記パネル取付具の棒状体を挿入穴内に挿入する際には、上記弾性キャップが圧縮変形するので容易に挿入することができると共に、上記棒状体や弾性キャップおよび挿入穴に多少の製作誤差等があっても、それらを弾性キャップの弾力で吸収できるから製造時の歩留まりが向上して容易・安価に製作できる等の効果がある。
【発明を実施するための最良の形態】
【００１１】
以下、本発明を図に示す実施形態に基づいて具体的に説明する。図１は本発明によるパネル取付構造の一実施形態を示す縦断面図、図２はその要部の斜視図である。
【００１２】
本実施形態はビル等の建築物Ａにおける窓等の開口部Ａ１の上側と下側とに設けられるまぐさ壁と腰壁とを形成するためのパネル１ａ、１ｂに本発明によるパネル取付構造を適用したもので、上記パネル１ａ、１ｂとして、本実施形態においてはＡＬＣパネルが用いられている。
【００１３】
上記開口部Ａ１には、その開口縁部に沿うようにしてパネル支持部材２が設けられ、そのパネル支持部材２は、水平片２１と垂直片２２とからなるアングル材よりなる上下一対の横材２ａ，２ｂと、図１で前後一対の縦材（図で手前側の縦材は不図示）２ｃ，２ｃとで略方形枠状に形成されている。上記各横材２ａ，２ｂの両端部は、それぞれ上記縦材２ｃ，２ｃの側面に溶接等で一体的に固着され、その各縦材２ｃの上下両端部は、それぞれ建築物の梁材等の躯体に取付け支持されているが図には省略した。
【００１４】
上記まぐさ壁と腰壁とを形成するための上下のパネル１ａ、１ｂは、それぞれ上側の横材２ａの上方と下側の横材２ｂの下方とに配置され、上側のパネル１ａの下部は上側の横材２ａに、また下側のパネル１ｂの上部は下側の横材２ｂに、それぞれパネル取付具３を介して取付けられている。
【００１５】
その各パネル取付具３は、図３に示すように金属鋼板等よりなる基板３０の一方の面に金属棒鋼等よりなる棒状体３１を略垂直に起立させた状態で溶接等で一体的に固着し、その棒状体３１の基板３０と反対側の先端部にゴム等よりなる有底略筒状の弾性キャップ３２を嵌めた構成である。なお上記棒状体３１は図の場合は丸棒鋼を用いたものであるが、角棒鋼等を用いることもできる。
【００１６】
上記各パネル取付具３は、その各基板３０を前記のアングル材よりなる横材２ａ，２ｂの水平片２１の上面側または下面側に配置して溶接等で取付けると共に、先端部に弾性キャップ３２を被着した各棒状体３１を、パネル１ａ、１ｂの小口面に形成した挿入穴１０内に挿通嵌合することによって、上記棒状体３１を上記弾性キャップ３２を介して上記挿入穴１０の内面に弾力的に圧接嵌合させた構成である。
【００１７】
なお、上記各パネル１ａ、１ｂの小口面と、横材２ａ，２ｂの水平片２１との間には基板３０が介在し、その基板３０が存在する箇所以外の各パネル１ａ、１ｂの小口面と横材２ａ，２ｂの水平片２１との間には、上記基板３０の厚さに相当する空隙が設けられている。その空隙によって例えば地震等で躯体が変形もしくは変位したときに各パネル１ａ、１ｂがパネル支持部材２に押し付けられて損傷するのを防止することができる。また上記パネル１ａの上部およびパネル１ｂの下部は、それぞれ従来公知のいわゆるイナズマプレートやアングル材等を介して梁材等の建物躯体に取付けられているが図には省略した。図１において、１１は上記開口部Ａ１の側方に設けたパネルまたは柱である。
【００１８】
本発明は上記のようにパネル取付具３の棒状体３１を、その先端部に挿入嵌合したゴム等よりなる弾性キャップ３２を介して挿入穴１０の内面に弾力的に圧接嵌合するようにしたから、例えば図２のように下向きに開口した挿入穴１０内にパネル取付具３の棒状体３１を挿入した状態でパネル１ａ，１ｂを持ち運んだり、所定の施工位置に配置する際にパネル取付具３が不用意に抜け落ちるのを簡単・確実に防止することができる。また地震等で躯体が大きく振動したり変形した場合にも、上記弾性キャップ３２の緩衝作用で振動等を軽減できると共に、上記棒状体３１が挿入穴１０の内面に直接当たることがないから、パネル１ａ，１ｂに損傷や亀裂が生じたり欠落するのを防ぐことができる。
【００１９】
さらにパネル取付具３の棒状体３１を挿入穴１０内に挿入する際には、上記弾性キャップ３２が圧縮変形して容易に挿入できると共に、上記棒状体３１や弾性キャップ３２および挿入穴１０に多少の製作誤差等があっても、それらを弾性キャップ３２の弾力で吸収できるから製造時の歩留まりが向上して容易・安価に製作することができる。
【００２０】
なお上記弾性キャップ３２の外周面には、必要に応じて弾性突起や弾性突条等を一体的に設けるようにしてもよく、図４（ａ）は弾性キャップ３２の外周面に多数の弾性突起３２ａを一体に設けた例、同図（ｂ）は弾性キャップ３２の外周面に周方向に延びる複数個のリング状の弾性突条３２ｂを一体に設けた例、同図（ｃ）は弾性キャップ３２の端部外周面にフランジ状の弾性突条３２ｃを一体に設けた例である。
【００２１】
上記のように弾性キャップ３２の外周面に、弾性突起３２ａや弾性突条３２ｂ，３２ｃ等を一体的に設けると、それらを有する弾性キャップ３２とともに棒状体３１を前記挿入穴１０内に挿入する際に、該挿入穴１０の内面と弾性キャップ３２との接触面積が少なくなって挿入時の摩擦抵抗を低減できると共に、装着後は上記突起や突条による滑り止め機能でパネル取付具３が挿入穴１０から滑り落ちるのを更に確実に防止することが可能となる。
【産業上の利用可能性】
【００２２】
以上のように本発明によるパネル取付構造は、パネル取付具３の棒状体３１を、その先端部に挿入嵌合したゴム等よりなる弾性キャップ３２を介して挿入穴１０の内面に弾力的に圧接嵌合させることで、パネル取付具が不用意に抜け落ちたり、地震等の振動でパネルに損傷や亀裂が生じるのを良好に防止することができるもので、本発明は上記実施形態のような、まぐさ壁や腰壁に限らず、一般の壁、および布基礎用、躯体用等の壁を形成する場合にも適用可能である。
【図面の簡単な説明】
【００２３】
【図１】本発明によるパネル取付構造の一実施形態を示す縦断面図。
【図２】上記パネル取付構造の要部の斜視図。
【図３】上記パネル取付構造に用いたパネル取付具の斜視図。
【図４】（ａ）〜（ｃ）は外周面に突部を設けた例の弾性キャップの斜視図。
【図５】従来のパネル取付構造の一例を示す斜視図。
【符号の説明】
【００２４】
Ａ  建築物
Ａ１  開口部
１ａ、１ｂ  パネル
１０  挿入穴
２  パネル支持部材
２ａ、２ｂ  横材
２ｃ  縦材
３  パネル取付具
３０  基板
３１  棒状体
３２  弾性キャップ
【図１】
0004481918.tif 000002
【図２】
0004481918.tif 000003
【図３】
0004481918.tif 000004
【図４】
0004481918.tif 000005
【図５】
0004481918.tif 000006